(57)【要約】【課題】  誘引線に植物茎を止める誘引用固定具において、成長に伴って大きさが変化していく植物茎の径の変化に対して、ロック部の係合状態が強まらずに植物茎から取り外しができ、また、植物茎の径の変化に対応して茎を保持できる植物茎の誘引用固定具を提供する。【解決手段】  茎を支持する円弧状の茎支持部２ａ，３ａをそれぞれ有する第１挟持片２と第２挟持片３をヒンジ部４で連結し、第１挟持片２と第２挟持片３の基部に、誘引ひもＰを締め付けるひも係止部６を形成すると共に、前記第１挟持片２と第２挟持片３の先端に両挟持片を閉じた際に茎を保持するロック部７を形成した。【選択図】図１
2005210915.tif 000002
【特許請求の範囲】
【請求項１】
茎を支持する円弧状の茎支持部をそれぞれ有する第１挟持片と第２挟持片をヒンジ部で連結し、前記第１挟持片と第２挟持片の基部に、誘引ひもを締め付けるひも係止部を形成すると共に、前記第１挟持片と第２挟持片の先端に両挟持片を閉じた際に茎を保持するロック部を形成したことを特徴とする植物茎の誘引用固定具。
【発明の詳細な説明】
【技術分野】
【０００１】
本発明は、上方から垂らした誘引線にトマトやキュウリ等の植物茎を止める植物茎の誘引用固定具に関する。
【背景技術】
【０００２】
トマトやキュウリ等の栽培を行う場合、茎が自重や実の重みで倒れないように、旧来は添え木を立てていたが、その作業や撤去が面倒であるのと、コスト節減のため、近年では上方から誘引線を垂らして、その誘引線に茎を止めるようにしている。
【０００３】
誘引線に植物茎を止める誘引用固定具としては、茎を支持する半円状の茎支持部をそれぞれ有する第１挟持片と第２挟持片をヒンジ部で連結し、前記第１挟持片と第２挟持片の先端に両挟持片を閉じた状態で保持するロック部を形成した植物茎誘引用クリップにおいて、前記第１挟持片および第２挟持片の基部に、誘引ひもをコ字状に曲げた状態で締め付ける内側ひも挟み部および外側ひも挟み部をそれぞれ形成したことを特徴とする植物茎誘引用クリップが知られている。（特許文献１参照）
【特許文献１】特開２０００−１１６２４６号公報
【発明の開示】
【発明が解決しようとする課題】
【０００４】
特許文献１に記載された植物茎誘引用クリップの場合、可撓性のロック部が採用されており、可撓性のロック部は、開口の内部に挿入した引っ掛け爪を開口の枠部に係合させる構成であり、クリップの内径はロックされると略一定の大きさに固定される。そのため、成長に伴って植物茎の径がクリップの内径以上に太くなってきたときには、引っ掛け爪と開口の枠部との係合を解除して、引っ掛け爪を開口から引き抜いてクリップを外し、植物茎の他の部分をクリップで止めるか、又はクリップを外した状態のままにしている。
【０００５】
しかしながら、植物茎が成長して茎の径が太くなるとクリップの内径を広げるように作用して、可撓性のロック部は、引っ掛け爪が開口の枠部にさらに食い込むように変形するので互いの係合状態が強まり、手で操作しても可撓性のロック部は、開放状態にできなくなることがある。このような場合、ロック部のロック状態を解除するには、クリップの一部を刃物で切断して植物茎から取り外すが、再利用ができなくなるため植物茎の誘引用固定具の改善が望まれていた。
【０００６】
解決しようとする課題は、誘引線に植物茎を止める誘引用固定具において、成長に伴って大きさが変化していく植物茎の径の変化に対して、ロック部の係合状態が強まらずに植物茎から取り外しができ、また、植物茎の径の変化に対応して茎を保持できる植物茎の誘引用固定具を提供することである。
【課題を解決するための手段】
【０００７】
上記課題を解決するために請求項１に記載の発明は、茎を支持する円弧状の茎支持部をそれぞれ有する第１挟持片と第２挟持片をヒンジ部で連結し、前記第１挟持片と第２挟持片の基部に、誘引ひもを締め付けるひも係止部を形成すると共に、前記第１挟持片と第２挟持片の先端に両挟持片を閉じた際に茎を保持するロック部を形成したことを特徴とする植物茎の誘引用固定具である。
【発明の効果】
【０００８】
本発明の植物茎の誘引用固定具は、成長に伴って大きさが変化していく植物茎の径の変化に対応して、簡単な操作で茎を保持できるようにしたり、茎から取り外すことができる。
【発明を実施するための最良の形態】
【０００９】
本発明の一実施形態の植物茎の誘引用固定具について図面を用いて詳細に説明する。図１は本発明の一実施形態の誘引用固定具の正面図、図２は図１の実施形態の平面図、図３は図１の実施形態の底面図、図４は図１の実施形態の右側面図、図５は図１の実施形態の左側面図、図６は図５のＡ−Ａ線での断面図、図７は図１の実施形態の開放状態での使用例を示す概略図、図８は図１の実施形態の閉じた状態での使用例を示す概略図、図９（ａ）（ｂ）は、本発明の具体的な使用例を示す概略図である。
【００１０】
図１〜図６に示すように、植物茎の誘引用固定具１は、茎を支持する円弧状の茎支持部２ａ，３ａをそれぞれ有する第１挟持片２と第２挟持片３をヒンジ部４で連結してある。そして、第１挟持片２の基部には貫通孔５ａが設けられ、また、第２挟持片３の基部には貫通孔５ａに遊嵌する突起５ｂが設けられている。
【００１１】
第１挟持片２は、茎支持部２ａに隣接する位置で厚み方向の上下の両面に段差を有して先端まで薄肉片が形成されている。この薄肉片は、茎支持部２ａに隣接して係合ガイド２ｂが形成され、先端部は折れ曲がり外側に突出して操作部２ｃが形成されている。係合ガイド２ｂには、茎支持部２ａに隣接する面（内側の面）に複数のラック歯２０が形成されている。
【００１２】
第２挟持片３は、茎支持部３ａに隣接して先端まで、厚み方向の中央が凹んだ係合溝３ｂが形成されている。また、係合溝３ｂの手前で三つ又に分岐して中央から薄肉片が外側に突出してなる操作部３ｃが形成されている。そして、上記の係合溝３ｂの溝内には複数のラック歯３０が形成されている。複数のラック歯２０を有する係合ガイド２ｂと、複数のラック歯３０を有する係合溝３ｂとは、第１挟持片２と第２挟持片３を閉じると共に、その際の内径の大きさを複数段階に設定して保持するロック状態と、第１挟持片２と第２挟持片３とを開放状態に設定できるロック部７を形成している。
【００１３】
なお、ラック歯２０，３０は断面が鋸歯状に形成され、係合溝３ｂ内で第１挟持片２と第２挟持片３との内径を小さくするような正方向には互いのラック歯２０，３０上を乗り越えて係合ガイド２ｂを移動可能であり、第１挟持片２と第２挟持片３との内径を大きくするような逆方向には互いのラック歯２０，３０が完全に歯止めされて、係合ガイド２ｂが移動できない逆移動防止機構となっている。また、第１挟持片２と第２挟持片３のラック歯２０，３０が係合溝３ｂ内で互いに噛合っている場合に、係合ガイド２ｂを係合溝３ｂから外すように外部に付勢するとラック歯２０，３０の噛合いは解除される。
【００１４】
次に、図７〜図９を参照して植物茎の誘引用固定具１の使用例について説明する。トマトやキュウリ等の栽培を行う場合、その上方に地面から１．８〜２ｍ程度の高さで略水平にワイヤ等からなる誘引線９０を張設し、誘引線の高さの約２倍程度の長さを有する合成樹脂等からなるひもＰの中間付近を該誘引線９０に誘引線用の結束具９１を用いて垂れ下げる。
【００１５】
そして、図７に示すように、開放状態の誘引用固定具１の第１挟持片２と第２挟持片３の基部にひもＰを位置させ、また、円弧状の茎支持部２ａ，３ａ内に植物茎Ｓを配置する。この状態で、操作部２ｃ，３ｃを近接するように操作して、誘引用固定具１の係合ガイド２ｂを係合溝３ｂに嵌入し、また、第１挟持片２の基部の貫通孔５ａに第２挟持片３の基部の突起５ｂを遊嵌する。
【００１６】
そして、操作部２ｃ，３ｃがさらに近接するように操作して、係合ガイド２ｂを係合溝３ｂ内でスライドさせて、円弧状の茎支持部２ａ，３ａ、及び係合ガイド２ｂの一部とで形成される開口８の内径を小さくしていき、誘引用固定具１の内径が植物茎Ｓの大きさに合う位置で第１挟持片２と第２挟持片３が閉じられるように内径の大きさを複数段階に切り替えながら、ラック歯３０とラック歯２０を調節して噛合わせる。このとき、貫通孔５ａに突起５ｂが遊嵌し、ひもＰは、ヒンジ部４及び突起５ｂに囲まれたひも係止部６に保持される。
【００１７】
また、植物茎Ｓは、ロック部７の係合ガイド２ｂと係合溝３ｂとを係合させて第１挟持片２と第２挟持片３が閉じたロック状態にすると、円弧状の茎支持部２ａ，３ａ、及び係合ガイド２ｂの一部とで形成される開口８内に保持される。その後、植物茎Ｓが成長して茎の径が太くなり、誘引用固定具１の内径を広げるように付勢しても、ラック歯３０とラック歯２０の噛合わせの状態は変わらず、ロック部７の係合ガイド２ｂと係合溝３ｂとの係合状態が強まることはない。
【００１８】
さて、上記のように植物茎Ｓが成長して茎の径が誘引用固定具１の内径以上に太くなってきた場合には、操作部２ｃ，３ｃを離反するように操作する。この操作により、係合ガイド２ｂは、係合溝３ｂから外すように外部に付勢され、ラック歯２０，３０の噛合いは解除され、ロック部７の係合ガイド２ｂと係合溝３ｂとの係合が解除される。そして、再び、操作部２ｃ，３ｃを近接するように操作して、係合ガイド２ｂを係合溝３ｂ内でスライドさせて、開口８の内径が植物茎Ｓの大きさに合う位置で第１挟持片２と第２挟持片３を閉じるように誘引用固定具１の内径の大きさを複数段階に切り替えながら、ラック歯３０とラック歯２０を調節して噛合わせて、ひもＰに茎を止める。
【００１９】
このように、本発明の植物茎の誘引用固定具は、植物茎Ｓが成長して茎の径がクリップの内径以上に太くなってきたときには、ラック歯３０とラック歯２０の噛合わせを解除するだけで、ロック部を係合状態から開放状態にできるので、ラック歯３０とラック歯２０の噛合わせる位置を調節して、開口８の内径の大きさを調整して植物茎Ｓの径の変化に対応させて茎を保持できるようにしたり、植物茎から取り外すことができる。そのため、植物茎の誘引用固定具は、植物茎から取り外す際に、一部を刃物で切断する必要はなく再利用ができるものである。
【産業上の利用可能性】
【００２０】
本発明の植物茎の誘引用固定具は前記実施例に限定されるものではなく、特許請求の範囲に記載された本発明を逸脱することがなければ、種々の設計変更が可能である。
【図面の簡単な説明】
【００２１】
【図１】本発明の一実施形態の誘引用固定具の正面図である。
【図２】図１の実施形態の平面図である。
【図３】図１の実施形態の底面図である。
【図４】図１の実施形態の右側面図である。
【図５】図１の実施形態の左側面図である。
【図６】図５のＡ−Ａ線での断面図である。
【図７】図１の実施形態の開放状態を示す概略図である。
【図８】図１の実施形態の閉じた状態を示す概略図である。
【図９】（ａ）（ｂ）は、本発明の具体的な使用例を示す概略図である。
【符号の説明】
【００２２】
１  誘引用固定具
２  第１挟持片
２ａ，３ａ  茎支持部
２ｂ  係合ガイド
２ｃ  操作部
３  第２挟持片
３ｂ  係合溝
４  ヒンジ部
５ａ  貫通孔
５ｂ  突起
６  係止部
７  ロック部
８  開口
２０，３０  ラック歯
９０  誘引線
９１  結束具
Ｐ  ひも
Ｓ  植物茎
【図１】
2005210915.tif 000003
【図２】
2005210915.tif 000004
【図３】
2005210915.tif 000005
【図４】
2005210915.tif 000006
【図５】
2005210915.tif 000007
【図６】
2005210915.tif 000008
【図７】
2005210915.tif 000009
【図８】
2005210915.tif 000010
【図９】
2005210915.tif 000011